(57)【要約】      （修正有）【課題】防水、防滴構造を備えながら、暗所等で操作キー位置がわかりやすい発光する操作キー構造を備えた電子機器及び撮像装置を提供する。【解決手段】操作するためのキートップ３３０、防滴及びキートップ３３０の保持、押し感向上等の機能を持つ弾性部３１０、プリント基板４００に実装された実装スイッチ４２０及び、暗所等で操作キーの位置を確認しやすくするために操作キーユニット部を光らせるための複数からなるＬＥＤ光源部４１１から構成される。【選択図】図２
2017138438.tif 000002
【特許請求の範囲】
【請求項１】
本体部と、
前記本体部を覆う外装カバー部と、
導光性を持った材料で構成されるキートップ部と、
前記キートップを上方所定の位置に保持するキートップ保持部を持った弾性部と、
プリント基板に設けられたスイッチ部と、
前記プリント基板に配設された複数の光源部と、
前記弾性支持部は導光性を持った材料でなり、スイッチ部を円周状に覆うように構成する円筒部と、前記キートップを弾性的に支持する円周状の弾性支持部と、
前記支持部と前記円周部を繋ぐ接続部と、
前記接続部は前記複数の光源からの光を円周状に導光するための導光形状を具備し、
前記円周部にて前記外装ケース及び前記プリント基板に圧接されて保持されており、
前記円筒部の内側に前記光源が配置されていることを特徴とする電子機器。
【請求項２】
前記キートップの外周部を除く中央部は遮光性塗料もしくは印刷により一部もしくは全部が遮光されていることを特徴とする請求項１に記載の電子機器。
【請求項３】
前記導光部は、前記プリント基板部に対し傾いた面を持ち、光源より離れるに従って前記キートップ押下方向に対し厚みが増す構造となっていることを特徴とする請求項１又は請求項２に記載の電子機器。
【請求項４】
前記導光部は前記光源部近傍の面に光拡散用の光拡散部をもち、光源より離れるに従って前記キートップ押下方向に対し厚みが減少する構造となっていることを特徴とする請求項１又は請求項２に記載の電子機器。
【発明の詳細な説明】
【技術分野】
【０００１】
本発明は、防水、防滴防滴構造を考慮した、照光部を有するスイッチ構造を持った撮像装置等の電子機器に関する。
【背景技術】
【０００２】
近年、より多様な場所で電子機器及び撮像装置を使用する機会が増大しており、多様な環境下で撮影等を行うため、防滴性能を持った撮像装置がある。また、それらの機器には、たとえば暗所での撮影等で操作キーを操作しやすくするために、操作キーが照光する構造をもつものが増加している。これら操作キーが照光する構造をもつ操作キーには、特許文献１に記載されているような、発光部を内部に有するような実装スイッチを実装することにより操作キーを光らせるような構造がある。
【０００３】
また、操作キーを照光させる場合、それぞれの視認性や品位を高めるため、ムラなく均一に光らせることが望ましい。特許文献２には、発光部の上に凹凸を持ったシートを配置することにより光を拡散し、均一に操作キーを光らせる構造が提案されている。
【先行技術文献】
【特許文献】
【０００４】
【特許文献１】特開２００１−７６５７２号公報
【特許文献２】特開２０１１−５４５７３号公報
【発明の概要】
【発明が解決しようとする課題】
【０００５】
しかしながら、上記特許文献１では、発光部を内部に有するような実装スイッチを使用する必要があり、必然的に大型化してしまうという問題がある。また、直下の光を導光しているだけのため、光のムラを抑えることができない、等の問題がある。
【０００６】
また、上記特許文献２では、シートによる拡散のため、発光部を中心として周辺部が徐々に輝度が落ちていくような構成となっており、特にスイッチ外周部において輝度が落ちてしまうため、暗所で操作キー外形がわかりにくくなってしまう上に、防滴構造が取られていないため多様な環境下での撮影ができない、等の問題がある。
【０００７】
そこで、本発明の目的は、防水、防滴構造を備えながら、暗所等で操作キー位置がわかりやすいようにムラなく均一に発光する操作キー構造を備えた電子機器及び撮像装置を提供することにある。
【課題を解決するための手段】
【０００８】
上記の目的を達成するために、本発明に係る電子機器は、
本体部と、
前記本体部を覆う外装カバー部と、
導光性を持った材料で構成されるキートップ部と、
前記キートップを上方所定の位置に保持するキートップ保持部を持った弾性部と、
プリント基板に設けられたスイッチ部と、
前記プリント基板に配設された複数の光源部と、
前記弾性支持部は導光性を持った材料でなり、スイッチ部を略円周状に覆うように構成する円筒部と、前記キートップを弾性的に支持する円周状の弾性支持部と、
前記支持部と前記円周部を繋ぐ接続部と、
前記接続部は前記複数の光源からの光を円周状に導光するための導光形状を具備し、
前記円周部にて前記外装ケース及び前記プリント基板に圧接されて保持されており、
前記円筒部の内側に前記光源が配置されていることを特徴とする。
【０００９】
また、本発明に係る電子機器の他の特徴とするところは、
前記キートップの外周部を除く中央部は遮光性塗料もしくは印刷により一部もしくは全部が遮光されていることを特徴とする。
【００１０】
また、本発明に係る電子機器の他の特徴とするところは、
前記導光部は、前記プリント基板部に対し傾いた面を持ち、光源より離れるに従って前記プリント基板方向に対し厚みが増す構造となっていることを特徴とする。
【００１１】
また、本発明に係る電子機器の他の特徴とするところは、
前記導光部は前記光源部近傍の面に光拡散用の光拡散部をもち、光源より離れるに従って前記プリント基板方向に対し厚みが減少する構造となっている、ことを特徴とする。
【発明の効果】
【００１２】
本発明によれば、、防水、防滴構造を備えながら、暗所等で操作キー位置がわかりやすいようにムラなく均一に発光する操作キー構造を備えた電子機器及び撮像装置を提供することができる。
【図面の簡単な説明】
【００１３】
【図１】本発明の実施形態にかかわる撮像装置の前方斜視図
【図２】操作キーユニット部  ２００近傍の分解斜視図
【図３】操作キーユニット部  ２００の正面図
【図４】操作キーユニット部  ２００の正面図
【図５】（ａ）は本発明の第１の実施形態における弾性部３１０の背面図、（ｂ）は本発明の第１の実施形態における弾性部３１０の背面斜視図、（ｃ）は本発明の第１の実施形態における弾性部３１０の図４Ｃ−Ｃ断面での断面図、（ｄ）は本発明の第１の実施形態における弾性部３１０の図４Ｄ−Ｄ断面での断面図、（ｅ）は図５（ｄ）の斜視図
【図６ａ】本発明の第１の実施形態における操作キーユニット部  ２００の図４Ｃ−Ｃ断面での断面図
【図６ｂ】本発明の第１の実施形態における操作キーユニット部  ２００の図４Ｄ−Ｄ断面での断面図
【図６ｃ】図６ａで切断した断面のプリント基板  ４００を取り除いた背面斜視図
【図７】（ａ）は本発明の第２の実施形態における弾性部（第２）５１０の背面図、（ｂ）は本発明の第２の実施形態における弾性部（第２）５１０の背面斜視図、（ｃ）は本発明の第２の実施形態における弾性部（第２）５１０の図４Ｃ−Ｃ断面での断面図、（ｄ）は本発明の第２の実施形態における弾性部（第２）５１０の図４Ｄ−Ｄ断面での断面図
【図８】（ａ）は本発明の第２の実施形態における操作キーユニット部２００の図４Ｃ−Ｃ断面での断面図、（ｂ）は本発明の第２の実施形態における操作キーユニット部２００の図４Ｄ−Ｄ断面での断面図
【図９】（ａ）は従来における弾性部（従来）１０１０の背面図、（ｂ）は従来における弾性部（従来）１０１０の背面斜視図、（ｃ）は従来における図４Ｄ−Ｄ断面で切断した弾性部（従来）１０１０の断面図
【図１０】（ａ）は従来における図４Ｃ−Ｃ断面で切断した操作キーユニット部２００の断面図、（ｂ）は従来における図４Ｄ−Ｄ断面で切断した操作キーユニット部  ２００の断面図
【発明を実施するための形態】
【００１４】
以下に、本発明の第１の実施例の好ましい形態を、添付の図面に基づいて詳細に説明する。図１は本発明の実施形態にかかわる撮像装置の前方斜視図である。
［実施例１］
【００１５】
撮像装置１００は、本体部１０１、交換レンズ部１１０、バッテリー部１２０、ハンドル部１６０等から構成されている。また、本体部１０１上には、交換レンズ部１１０を取り付けるための交換レンズマウント部１１１、交換レンズ着脱ノブ１１２や、記録用媒体を装着するためのカード蓋ユニット部１３０、外部機器等と接続するための外部入出力部１５０、様々な機能を操作するための操作キーユニット部  ２００等が搭載されている。
【００１６】
図２に、操作キーユニット部  ２００近傍の分解斜視図を示す。
操作キーユニット部２００は外観側から外装部２５０、人が操作するためのキートップ３３０、防滴及びキートップ３３０の保持、押し感向上等の機能を持つ弾性部３１０、プリント基板４００に実装された実装スイッチ４２０及び、暗所等で操作キーの位置を確認しやすくするために操作キーユニット部２００を光らせるための複数からなるＬＥＤ光源部  ４１１から構成されている。操作キーユニット部２００を光らせるため、キートップ３３０及び弾性部３１０は、光の透過度合いを任意に調整した透明あるいは半透明の樹脂もしくはゴム系材料により形成されている。
【００１７】
図３（ａ），（ｂ）及び図４に、操作キーユニット部２００の正面図を示す。図３（ａ），（ｂ）では、ハッチング部が光が透過しない部分である。
外装部２５０は光漏れ等を防止するため、光の透過を抑える材料にて形成されている。また、キートップ３３０の表面には光の透過を抑えるために調整された単色または他色の印刷もしくは塗装を施した遮光印刷部３３１と、操作キーの位置及びサイズが認識しやすくなるように外形に沿って遮光印刷部３３１を施していないキートップ透光部３４０を有する。また、抜き文字やレーザーマーキング等で遮光印刷部３３１の一部を取り除いて発光するようにした抜き文字部３５０を有することも可能である。ＬＥＤ光源部４１１は本実施例の場合左右に１カ所ずつ配置され、視認性を高めるためキートップ透光部３４０の下に配置される。これによりキートップ透光部３４０にはＬＥＤ光源部４１１に近い光源近傍部３４１と、ＬＥＤ光源部４１１から遠い光源離遠部３４５ができる。
【００１８】
図９（ａ），（ｂ）に、従来の弾性部（従来）１０１０の背面図及び背面斜視図、図９（ｃ）に図４におけるＤ−Ｄ断面で切断した弾性部（従来）１０１０の断面図を示す。
【００１９】
弾性部（従来）１０１０は、キートップ  ３３０を押しこみ方向と反対側に支持、及びクリック感向上のためのバネ性を持った弾性支持部（従来）１０１１と、キートップ３３０がずれたり回転したりしないように保持するためのキートップ保持部（従来）１０１２、実装スイッチ４２０と押下時に接触し、安定して実装スイッチ４２０をＯＮするためのスイッチ押下部（従来）１０１５が設けられている。また、弾性部（従来）１０１０を外装部２５０及びプリント基板４００に安定して配置するための外周保持部（従来）１０１３、弾性支持部（従来）１０１１と外周保持部（従来）１０１３の間にこれらをつなぐ接続部（従来）１０２０が設けられている。
【００２０】
図１０（ａ），（ｂ）に、図４におけるＣ−Ｃ断面及びＤ−Ｄ断面で切断した従来の操作キーユニット部２００の断面図を示す。
外装部２５０及びプリント基板４００により、弾性部（従来）１０１０は防滴用接触部２５１にてキートップ３３０押下方向で密着し、プリント基板４００上にキートップ３３０側から水や埃等が入り込まない構成となっている。ＬＥＤ光源部４１１から出た光は矢印で図示されるように様々な方向に向かって発光するが、キートップ３３０の外周に設けられたキートップ透光部３４０部からのみしか外部へは発光しないような構成となっている。
【００２１】
図１０（ａ）に示すように、弾性部（従来）１０１０の弾性部材光源近傍部（従来）１０２１には、ＬＥＤ光源部４１１からの光が垂直に入射するため、多くの光が光源近傍部３４１から外部へ照射される一方、弾性部材光源離遠部（従来）１０２２にはＬＥＤ光源部４１１からの光が大きな入射角を持った状態で入射するため、光の性質上境界面で反射してしまい、結果として光源離遠部３４５から外部へ照射される光は光源近傍部３４１に比べ大幅に少なくなり、見た目上大きな光ムラが生じてしまう。
【００２２】
図５（ａ），（ｂ）に、本発明の第１の実施形態における弾性部３１０の背面図及び背面斜視図を示す。図５（ｃ），（ｄ）に、本発明の第１の実施形態における弾性部３１０の図４におけるＣ−Ｃ断面及びＤ−Ｄ断面での断面図を示す。図５（ｅ）に、図５（ｄ）の斜視図を示す。
【００２３】
弾性部３１０は、従来と同様キートップ３３０を押しこみ方向と反対側に支持、及びクリック感向上のためのバネ性を持った弾性支持部３１１と、キートップ３３０がずれたり回転したりしないように保持するためのキートップ保持部３１２、実装スイッチ４２０と押下時に接触し、安定して実装スイッチ４２０をＯＮするためのスイッチ押下部３１５が設けられている。また、弾性部３１０を外装部２５０及びプリント基板４００に安定して配置するための外周保持部３１３を有している。
【００２４】
また、弾性支持部３１１と外周保持部３１３を繋ぐ部分には、円周方向導光部３２０が配置されている。円周方向導光部３２０は、ＬＥＤ光源部４１１に近い弾性部材光源近傍部３２１から、弾性部材光源離遠部３２２に向かうにつれ、厚みが徐々に増していく構造となっており、加えて円周方向導光部３２０にはプリント基板４００に対して傾いた面である傾斜面３２３を有している。
【００２５】
図６ａ，図６ｂに、図４におけるＣ−Ｃ断面及びＤ−Ｄ断面で切断した、本発明の第１の実施形態における操作キーユニット部２００の断面図を示す。図６ｃに、図６ａで切断した断面のプリント基板４００を取り除いた背面斜視図を示す。
従来と同様、外装部２５０及びプリント基板４００により、弾性部３１０は防滴用接触部２５１にてキートップ  ３３０押下方向で密着し、プリント基板４００上にキートップ３３０側から水や埃等が入り込まない構成となっている。ＬＥＤ光源部４１１から出た光は矢印で図示されるように様々な方向に向かって発光するが、キートップ３３０の外周に設けられたキートップ透光部３４０部からのみしか外部へは発光しないような構成となっている。
【００２６】
図６ａに示すように、弾性部３１０の弾性部材光源近傍部３２１には、ＬＥＤ光源部４１１からの光が垂直に入射するため、多くの光が光源近傍部３４１から外部へ照射される。また、図６ｂに示すように、弾性部３１０の弾性部材光源離遠部３２２においては、円周方向導光部３２０に設けられた傾斜面３２３によって、ＬＥＤ光源部４１１からの光は小さな入射角で入射するため、従来のように境界面で反射することなく多くの光がキートップ３３０上の光源離遠部３４５からも照射される。
【００２７】
また、円周方向導光部３２０は、ＬＥＤ光源部４１１に近い弾性部材光源近傍部３２１から、弾性部材光源離遠部３２２に向かうにつれ、厚みが徐々に増していく構造となっているために、キートップ透光部３４０からは光源近傍部３４１から光源離遠部３４５まで万遍なく光を外部に照射することができ、ムラの少ない操作キーユニット部２００を構成することが可能になる。傾斜面３２３に関しては、円周方向導光部３２０をＬＥＤ光源部４１１に対し中央部のない凹レンズ形状とすることにより、よりムラの少ない光をキートップ透光部３４０を通して照光することが可能になる。
【００２８】
［実施例２］
本発明の第２の実施例の好ましい形態を、添付の図面に基づいて詳細に説明する。
図７（ａ），（ｂ）に、本発明の第２の実施形態における弾性部３１０の背面図及び背面斜視図を示す。
弾性部（第２）５１０は、従来及び第１の実施例と同様キートップ３３０を押しこみ方向と反対側に支持、及びクリック感向上のためのバネ性を持った弾性支持部（第２）５１１と、キートップ３３０がずれたり回転したりしないように保持するためのキートップ保持部（第２）５１２、実装スイッチ  ４２０と押下時に接触し、安定して実装スイッチ  ４２０をＯＮするためのスイッチ押下部（第２）５１５が設けられている。また、弾性部（第２）５１０を外装部２５０及びプリント基板４００に安定して配置するための外周保持部（第２）５１３を有している。
【００２９】
弾性支持部（第２）５１１と外周保持部（第２）５１３を繋ぐ部分には、円周方向導光部（第２）５２０が配置されている。円周方向導光部（第２）５２０は、ＬＥＤ光源部  ４１１に近い弾性部材光源近傍部（第２）５２１から、弾性部材光源離遠部（第２）５２２に向かうにつれ、第１の実施例と異なり厚みが徐々に減少していく構造となっている。加えて、弾性部材光源近傍部（第２）５２１のＬＥＤ光源部４１１に対面する光源近接面５２５には、ＬＥＤ光源部４１１の光を円周方向導光部（第２）５２０に拡散するための凹凸形状が形成されている。
【００３０】
図８（ａ），（ｂ）に、図４におけるＣ−Ｃ断面及びＤ−Ｄ断面で切断した、本発明の第２の実施形態における操作キーユニット部２００の断面図を示す。
従来と同様、外装部２５０及びプリント基板４００により、弾性部（第２）５１０は防滴用接触部２５１にてキートップ  ３３０押下方向で密着し、プリント基板４００上にキートップ３３０側から水や埃等が入り込まない構成となっている。
【００３１】
ＬＥＤ光源部４１１から出た光はそのほとんどが近接する弾性部材光源近傍部（第２）  ５２１の光源近接面５２５に到達する。光源近接面５２５には既に述べたように凹凸形状が形成されているため、光は円周方向導光部（第２）５２０内を様々な方向に拡散する。円周方向導光部（第２）５２０は光源近接面５２５以外は凹凸のない面をもつことにより、円周方向導光部（第２）５２０に入射した光は弾性部材光源近傍部（第２）５２１から弾性部材光源離遠部（第２）５２２まで万遍なく拡散し、キートップ透光部３４０からは光源近傍部３４１から光源離遠部３４５まで万遍なく光を外部に照射することができる。これによりムラの少ない操作キーユニット部２００を構成することが可能になる。
【００３２】
以上、本発明の好ましい実施形態について説明したが、本発明はこれらの実施形態に限定されず、その要旨の範囲内で種々の変形及び変更が可能である。たとえば実施例１，２で挙げた以外の導光形状を弾性部３１０に構成することで、よりムラをなくした構成にすることも可能である。
【符号の説明】
【００３３】
１００  撮像装置、１０１  本体部、１１０  交換レンズ部、
１１１  交換レンズマウント部、１１２  交換レンズ着脱ノブ、１２０  バッテリー部、
１３０  カード蓋ユニット部、１５０  外部入出力部、１６０  ハンドル部、
２００  操作キーユニット部、２５０  外装部、２５１  防滴用接触部、
２５２  外装側円周部、３１０  弾性部、３１１  弾性支持部、
３１２  キートップ保持部、３１３  外周保持部、３１５  スイッチ押下部、
３２０  円周方向導光部、３２１  弾性部材光源近傍部、３２２  弾性部材光源離遠部、
３２３  傾斜面、３３０  キートップ、３３１  遮光印刷部、
３４０  キートップ透光部、３４１  光源近傍部、３４５  光源離遠部、
３５０  抜き文字部、４００  プリント基板、４１１  ＬＥＤ光源部、
４２０  実装スイッチ、５１０  弾性部（第２）、５１１  弾性支持部（第２）、
５１２  キートップ保持部（第２）、５１３  外周保持部（第２）、
５１５  スイッチ押下部（第２）、５２０  円周方向導光部（第２）、
５２１  弾性部材光源近傍部（第２）、５２２  弾性部材光源離遠部（第２）、
５２５  光源近接面、１０１０  弾性部（従来）、１０１１  弾性支持部（従来）、
１０１２  キートップ保持部（従来）、１０１３  外周保持部（従来）、
１０１５  スイッチ押下部（従来）、１０２０  接続部（従来）、
１０２１  弾性部材光源近傍部（従来）、１０２２  弾性部材光源離遠部（従来）
【図１】
2017138438.tif 000003
【図２】
2017138438.tif 000004
【図３】
2017138438.tif 000005
【図４】
2017138438.tif 000006
【図５】
2017138438.tif 000007
【図６ａ】
2017138438.tif 000008
【図６ｂ】
2017138438.tif 000009
【図６ｃ】
2017138438.tif 000010
【図７】
2017138438.tif 000011
【図８】
2017138438.tif 000012
【図９】
2017138438.tif 000013
【図１０】
2017138438.tif 000014